(57)【特許請求の範囲】
【請求項１】
カラーディスプレイと、
複数の商品の商品データを記憶する記憶部と、
前記複数の商品のいずれかに対応する複数のプリセットキーを前記カラーディスプレイ上に表示させ、前記複数のプリセットキーのいずれかが操作者により選択されると、選択されたプリセットキーに対応する前記商品の前記商品データを前記記憶部から呼び出す制御部と、
を備え、
前記プリセットキーは、前記商品の識別情報を表示する識別情報表示領域と、前記商品の種別を表示する種別表示領域とを含むとともに、上下方向に隣接して配列され、
前記種別表示領域は、前記プリセットキーの外枠線に対して平行に配置され隣接する前記プリセットキーとの境界を判別し易くするライン状の領域、または、前記各プリセットキーを形成する外枠線に対して平行に配置されて前記識別情報を部分的に取り囲み、上下左右に隣接する前記プリセットキーの境界を判別し易くするＬ字型若しくは逆Ｌ字型の領域である、
商品データ呼び出し装置。
【請求項２】
前記識別情報表示領域は、前記種別表示領域と重ならない、
請求項１に記載の商品データ呼び出し装置。
【請求項３】
前記制御部は、操作者により前記プリセットキーが新規登録されると、新規登録後に、前記商品の前記種別に応じて、前記カラーディスプレイ上に表示される際の前記プリセットキーの配置が決定される、
請求項１または２に記載の商品データ呼び出し装置。
【発明の詳細な説明】
【技術分野】
【０００１】
本発明は、商品データ呼び出し装置に関し、特に、商品に対応する複数のプリセットキーを表示するカラーディスプレイを備えた商品データ呼び出し装置に関する。
【背景技術】
【０００２】
商品を取り扱うスーパーマーケットや百貨店におけるレジ精算、対面販売、計量値付け作業や、食品加工工場の計量作業等においては、種々の商品データ呼び出し装置が活躍している。この種の商品データ呼び出し装置として、例えば、スーパーマーケット等のレジ精算で使用されている電子キャッシュレジスタ、対面販売用のハカリ、スーパーマーケット等のバックヤードや食品加工工場で計量及び値付けに使われる計量値付け装置等が挙げられる。
【０００３】
このような商品データ呼び出し装置は、通常、複数の商品の商品データを記憶する記憶部と、複数のプリセットキーを表示するディスプレイとを有しており、ディスプレイ上に表示されるプリセットキーが、記憶部に記憶される商品データに対応付けられている。そして、操作者が、ディスプレイ上に表示される複数のプリセットキーのいずれかを選択すると、選択されたプリセットキーに対応する商品の商品データが記憶部から呼び出される。このとき、例えば、電子キャッシュレジスタであれば、呼び出された商品データに含まれる売価データ等を用いて商品の精算処理がなされ、計量値付け装置であれば、呼び出された商品データに含まれる単価データと計量値とからラベルに印字する売価が計算される。
【０００４】
ところで、こうした複数のプリセットキーは、ディスプレイ上に同じような表示形態で並べて配置されることが多い。この場合、プリセットキーに商品番号や商品名が付されているだけでは、操作者がディスプレイ上に表示される複数のプリセットキーの中からすばやく所望のプリセットキーを見つけだすことは容易ではなく、操作者がプリセットキーを選択する際に確認に要する時間が長くなってしまったり、選択を誤ってしまったりすることも少なくない。
【０００５】
そこで、カラーディスプレイを利用して複数のプリセットキーをカラー表示し、操作者が目的のプリセットキーを選択することをサポートする商品データ呼び出し装置が提案されている。例えば、特許文献１に開示される対面販売用ハカリでは、各プリセットキーに各プリセットキーに対応する商品の商品名を表示する文字を付するとともに、こうした文字の背景色を各プリセットキーに対応する商品の種別を表示する色にしている（特許文献１の図６〜図８参照）。こうした場合、操作者は、プリセットキーを選択する際には、プリセットキーに付されている文字の背景色により商品の種別を判別して対象を絞り込み、さらに、その中からプリセットキーに付されている文字により個々の商品を識別することができる。
【発明の概要】
【発明が解決しようとする課題】
【０００６】
しかしながら、特許文献１（特開２０００−３０４６０１号公報）のように、従来の商品データ呼び出し装置のカラーディスプレイ上に表示されるプリセットキーの場合、文字の背景の全面が文字の色と異なる一色でベタ塗りされていることが多い。こうした場合、文字が見にくくなったり、長時間にわたりカラーディスプレイを眺めながら操作する操作者の目が疲れやすくなったりし、その結果、依然として操作者の誤操作を誘発する虞が残る。
【０００７】
本発明の課題は、商品データ呼び出し装置において、プリセットキーに対応する商品の種別の判別性を維持しつつ、プリセットキーに対応する商品の識別情報の可読性を高めることにより、操作者がプリセットキーを選択する際の誤操作を低減することにある。
【課題を解決するための手段】
【０００８】
第１発明に係る商品データ呼び出し装置は、カラーディスプレイと、記憶部と、制御部とを備える。記憶部は、複数の商品の商品データを記憶する。制御部は、複数の商品のいずれかに対応する複数のプリセットキーをカラーディスプレイ上に表示させ、複数のプリセットキーのいずれかが操作者により選択されると、選択されたプリセットキーに対応する商品の商品データを記憶部から呼び出す。プリセットキーは、識別情報表示領域と種別表示領域とを含むとともに、上下方向に隣接して配列される。識別情報表示領域は、商品の識別情報を表示する。種別表示領域は、商品の種別を表示する。また、種別表示領域は、ライン状の領域、または、Ｌ字型若しくは逆Ｌ字型の領域である。ライン状の領域は、プリセットキーの外枠線に対して平行に配置され隣接するプリセットキーとの境界を判別し易くする。Ｌ字型若しくは逆Ｌ字型の領域は、各プリセットキーを形成する外枠線に対して平行に配置されて識別情報を部分的に取り囲み、上下左右に隣接するプリセットキーの境界を判別し易くするＬ字型若しくは逆Ｌ字型の領域である。なお、商品の識別情報とは、商品番号や商品名のような、商品を識別する情報であって、文字、記号若しくは模様又はそれらの結合（以下、文字等）で表示される。
【０００９】
この商品データ呼び出し装置では、カラーディスプレイ上に表示される複数のプリセットキーのいずれかが操作者により選択されると、選択されたプリセットキーに対応する商品の商品データが記憶部から呼び出される。カラーディスプレイ上に表示されるプリセットキーは、そのプリセットキーに対応する商品の識別情報を表示する識別情報表示領域と、そのプリセットキーに対応する商品の種別を表示する種別表示領域とを含む。種別表示領域は、ライン状の領域、または、Ｌ字型若しくは逆Ｌ字型の領域である。ライン状の領域は、プリセットキーの外枠線に対して平行に配置され隣接するプリセットキーとの境界を判別し易くする。Ｌ字型若しくは逆Ｌ字型の領域は、各プリセットキーを形成する外枠線に対して平行に配置されて識別情報を部分的に取り囲み、上下左右に隣接するプリセットキーの境界を判別し易くするＬ字型若しくは逆Ｌ字型の領域である。
【００１０】
このように、この商品データ呼び出し装置では、プリセットキーに対応する商品の種別の判別性を維持しつつ、プリセットキーに対応する商品の識別情報の可読性を高めることが可能となり、その結果、操作者がプリセットキーを選択する際の誤操作を低減することができる。
【００１１】
第２発明に係る商品データ呼び出し装置は、第１発明に係る商品データ呼び出し装置であって、識別情報表示領域は、種別表示領域と重ならない。
【００１２】
この商品データ呼び出し装置では、プリセットキーにおいて商品の識別情報を表示する文字等が種別表示領域と重ならない。これにより、種別表示領域の色が原因で商品の識別情報を表示する文字等が見にくくなるといった状況が生じにくくなり、商品の識別情報の可読性をさらに高めることができる。
【００１３】
第３発明に係る商品データ呼び出し装置は、第１発明または第２発明に係る商品データ呼び出し装置であって、制御部は、操作者によりプリセットキーが新規登録されると、新規登録後に、商品の種別に応じて、カラーディスプレイ上に表示される際のプリセットキーの配置が決定される。
【００１４】
この商品データ呼び出し装置では、カラーディスプレイ上に表示されるプリセットキーの配置は、そのプリセットキーが新規登録された後に、そのプリセットキーに対応する商品の種別を参照して自動的に決定される。これにより、操作者は、プリセットキーを新規登録する際に、カラーディスプレイ上におけるそのプリセットキーの表示位置を考慮しながら新規登録の作業を行う必要がなく、プリセットキーの新規登録の操作が簡便になる。
【発明の効果】
【００１５】
本発明に係る商品データ呼び出し装置では、プリセットキーに対応する商品の種別の判別性を維持しつつ、プリセットキーに対応する商品の識別情報の可読性を高めることが可能となり、その結果、操作者がプリセットキーを選択する際の誤操作を低減することができる。
【図面の簡単な説明】
【００１６】
【図１】本発明に係る電子キャッシュレジスタの外観図。
【図２】本発明に係る電子キャッシュレジスタのハードウェア構成を示すブロック図。
【図３】レジ精算用の画面。
【図４】商品データテーブルの構造を示す図。
【図５】グループ選択キーテーブルの構造を示す図。
【図６】商品選択キーテーブルの構造を示す図。
【図７】ファンクションキーテーブルの構造を示す図。
【図８】商品選択キーの新規登録用の画面。
【図９】商品選択キーの削除用の画面。
【図１０】（ａ）〜（ｆ）商品選択キーの外観の変形例。
【発明を実施するための形態】
【００１７】
以下、図面を参照して、本発明に係る商品データ呼び出し装置を説明する。なお、別々の図面において、同じ参照符号は、同じ構成要素を示すものとする。
【００１８】
図１に、本発明に係る商品データ呼び出し装置が、スーパーマーケットや百貨店等の店舗における精算コーナーのレジカウンターに設置される電子キャッシュレジスタ１として実現された様子を示す。
【００１９】
（電子キャッシュレジスタの構成）
（全体構成）
図１に示されるように、電子キャッシュレジスタ１は、第１ブロック１０と第２ブロック２０とを含む。第１ブロック１０と第２ブロック２０とは、図示されない通信線により互いに接続されており、信号を送受信しながら連動している。第１ブロック１０及び第２ブロック２０は、精算コーナーの物理的構造上分離されているが、電子キャッシュレジスタ１の情報処理の機能上は分離されていない。第１ブロック１０は、主に、レジ担当者により、商品を電子キャッシュレジスタ１に精算対象としてエントリするために利用される。第２ブロック２０は、主に、レジ担当者により、第１ブロック１０において電子キャッシュレジスタ１に精算対象としてエントリされた商品の精算をするために利用される。しかしながら、第１ブロック１０を商品の精算に利用することも可能であれば、第２ブロックを商品のエントリに利用することも可能である。
【００２０】
図２は、電子キャッシュレジスタ１のハードウェア構成を示すブロック図である。
【００２１】
電子キャッシュレジスタ１は、制御部３０、ＨＤＤ４０、第１タッチパネル１１ａ、第２タッチパネル２１ａ、第１カラーディスプレイ１１ｂ、第２カラーディスプレイ２１ｂ、第１補助ディスプレイ１２、第２補助ディスプレイ２２、カスタマーディスプレイ１４、バーコードリーダ１３、カードリーダ２５、レシート発行部２３、機械キー２６及びドロワ２４を含む。
【００２２】
制御部３０は、ＣＰＵ３１、ＲＯＭ３２及びＲＡＭ３３を含む。ＲＯＭ３２には、電子キャッシュレジスタ１を制御するための制御プログラムが格納されている。ＣＰＵ３１は、ＲＯＭ３２に格納された制御プログラムに基づいて、電子キャッシュレジスタ１を制御する。ＲＡＭ３３は、ＣＰＵ３１がＲＯＭ３２に格納された制御プログラムを実行する際に利用される作業領域である。
【００２３】
ＨＤＤ４０は、商品データテーブル４１、グループ選択キーテーブル４２、商品選択キーテーブル４３及びファンクションキーテーブル４４を記憶している。商品データテーブル４１は、店舗で取り扱う商品に関する商品データを格納している。グループ選択キーテーブル４２、商品選択キーテーブル４３及びファンクションキーテーブル４４は、それぞれ後述するグループ選択キー、商品選択キー及びファンクションキーを第１カラーディスプレイ１１ｂ及び第２カラーディスプレイ２１ｂ上に表示する際に必要となる情報を格納している。
【００２４】
第１カラーディスプレイ１１ｂは、第１タッチパネル１１ａと組み合わされて、第１タッチスクリーン１１を形成する。第１カラーディスプレイ１１ｂは、精算対象の候補となる商品に１対１で対応する商品選択キーや精算対象となる全商品の合計金額等を表示する。第１タッチパネル１１ａは、第１カラーディスプレイ１１ｂを覆うように設置されている。レジ担当者が、第１カラーディスプレイ１１ｂ上の商品選択キーの表示位置に対応する第１タッチパネル１１ａ上の領域を触ると、その商品選択キーが選択され、その商品選択キーに対応する商品が電子キャッシュレジスタ１に精算対象としてエントリされる。
【００２５】
第２カラーディスプレイ２１ｂは、第２タッチパネル２１ａと組み合わされて、第２タッチスクリーン２１を形成する。第２タッチスクリーン２１は、第１タッチスクリーン１１と同様の構成を有する。
【００２６】
第１補助ディスプレイ１２は、レジ担当者が商品を精算対象としてエントリする際にリアルタイムで商品の商品名及び単価を表示し、精算対象となる全商品のエントリ完了後その合計金額をレジ担当者に対して表示する。
【００２７】
第２補助ディスプレイ２２は、第１補助ディスプレイ１２と同様の構成を有する。
【００２８】
カスタマーディスプレイ１４は、第１タッチスクリーン１１と背中合わせになるように配置されている。カスタマーディスプレイ１４は、第１補助ディスプレイ１２と同様の内容を買い物客に対して表示する。
【００２９】
バーコードリーダ１３は、商品に付されているバーコードを読み取る。レジ担当者が、バーコードをバーコードリーダ１３にかざすと、そのバーコードがバーコードリーダ１３に読み取られ、そのバーコードに対応する商品が電子キャッシュレジスタ１に精算対象としてエントリされる。
【００３０】
カードリーダ２５は、買い物客がレジ精算時において提示したクレジットカードや会員カード等の各種カードを読み取る。これにより、料金のクレジットカード払いやサービスポイントの管理が実現される。
【００３１】
レシート発行部２３は、電子キャッシュレジスタ１に精算対象としてエントリされた商品の商品名及び単価の一覧や精算対象となる全商品の合計金額が記載されたレシートを発行する。
【００３２】
機械キー２６は、電子キャッシュレジスタ１に数字情報を入力するための数字キーやドロワ２４を開くための開キーを含む。
【００３３】
ドロワ２４は、紙幣や硬貨の保存場所として機能する。ドロワ２４は、レジ担当者が機械キー２６に含まれる開キーを押すと図１の矢印Ａの方向に開き、レジ担当者が図１の矢印Ａと逆の方向に物理的に押すと閉まるようになっている。
【００３４】
（レジ精算用画面）
図３は、第１カラーディスプレイ１１ｂ及び第２カラーディスプレイ２１ｂ上に表示されるレジ精算用の画面７０である。
【００３５】
制御プログラムは、レジ担当者から所定の入力を受け取ると、計算結果等表示領域７１、グループ選択キー表示領域７２、商品選択キー表示領域７３及びファンクションキー表示領域７４を含むレジ精算用の画面７０を第１カラーディスプレイ１１ｂ及び第２カラーディスプレイ２１ｂ上に表示させる。
【００３６】
計算結果等表示領域７１内には、レジ担当者が商品を精算対象としてエントリする際にリアルタイムで商品の商品名及び単価が表示され、精算対象となる全商品のエントリ完了後レジ担当者に対してその合計金額が表示される。
【００３７】
グループ選択キー表示領域７２内には、６個のグループ選択キーが表示される。グループ選択キーは、商品のグループに１対１で対応している。商品のグループは、ユーザにより任意に設定可能であり、本実施形態では、「野菜」「精肉」「鮮魚」「果物」「惣菜」「その他」の６つのグループが設定されている。レジ担当者が、グループ選択キー表示領域７２内に表示されるグループ選択キーのいずれかを選択すると、選択されたグループ選択キーに対応するグループに属する商品に対応する商品選択キーが、商品選択キー表示領域７３内に表示される。
【００３８】
各グループ選択キーには、レジ担当者がそのグループ選択キーに対応するグループを識別可能となるような文字が黒色で付される。この文字は、ユーザにより任意に設定可能であり、本実施形態では、グループのグループ名が設定されている。また、各グループ選択キーの背景色も、ユーザにより任意に設定可能であり、本実施形態では、商品のグループを表示する色が設定されている。具体的には、「野菜」「精肉」「鮮魚」「果物」「惣菜」「その他」を表示する色として、それぞれ緑、赤色、青、オレンジ、茶、ピンクが設定されている。
【００３９】
商品選択キー表示領域７３内には、同時に最大６×６個（３６個）の商品選択キーが表示される。商品選択キーは、精算対象の候補となる商品に１対１で対応する。レジ担当者が、商品選択キー表示領域７３内に表示される商品選択キーのいずれかを選択すると、選択された商品選択キーに対応する商品が、電子キャッシュレジスタ１に精算対象としてエントリされる。
【００４０】
各商品選択キーには、レジ担当者がその商品選択キーに対応する商品を識別可能となるような文字が黒色で付される。この文字は、ユーザにより任意に設定可能であり、本実施形態では、商品の商品名が設定されている。また、各商品選択キーの下部にはラインが引かれている。このラインの色も、ユーザにより任意に設定可能であり、本実施形態では、商品の種別を表示する色が設定されている。これにより、レジ担当者は、商品選択キーに対応する商品の種別を認識し易くなっている。なお、本実施形態では、商品の種別として、「野菜」「精肉」「鮮魚」「果物」「惣菜」「菓子」「日用品」が設定されており、これらの種別を表示する色として、それぞれ緑、赤色、青、オレンジ、茶、シルバー、黄が設定されている。さらに、各商品選択キーの背景色も、ユーザにより任意に設定可能であり、本実施形態では、白が設定されている。このように、本実施形態では、商品選択キーに白地に黒で文字が付されているため、文字の視認性が高くなっている。
【００４１】
なお、本実施形態では、「その他」以外のグループは、種別と１対１で対応しており、「その他」グループは、「菓子」「日用品」の２つの種別に対応している。そのため、「その他」以外のグループに対応するグループ選択キーの背景色は、そのグループに属する商品に対応する全ての商品選択キーのライン色と等しくなっている。
【００４２】
ファンクションキー表示領域７４内には、６個のファンクションキーが表示される。ファンクションキーには、そのファンクションキーが選択された場合に実行される機能が対応付けられている。例えば、商品が電子キャッシュレジスタ１に精算対象としてエントリされる際にレジ担当者により「タイムサービス」キーが選択されたとすると、制御プログラムは、合計金額を計算する際にその商品の単価をタイムサービス価格で計上する。なお、タイムサービス価格は、予めＨＤＤ４０に記憶されているものとする。また、「次へ」キーは、商品選択キー表示領域７３内に表示されるべきプリセットキーが３６個を超えた場合に有効となるプリセットキーである。「次へ」キーが選択されると、商品選択キー表示領域７３内に３７番目以降の商品選択キーが表示される。「前へ」キーは、「次へ」キーが選択された場合に有効となるプリセットキーであり、商品選択キー表示領域７３内に表示される商品選択キーを「次へ」キーが選択される前の状態に戻す。
【００４３】
各ファンクションキーには、レジ担当者がそのファンクションキーに対応する機能を識別可能となるような文字が黒色で付される。この文字は、ユーザにより任意に設定可能である。また、各ファンクションキーの背景色も、ユーザにより任意に設定可能であるが、本実施形態では、全てのファンクションキーの色が黄緑に統一されている。これにより、そのプリセットキーがファンクションキーであることが、レジ担当者に一目で分かるようになっている。
【００４４】
グループ選択キー表示領域７２、商品選択キー表示領域７３及びファンクションキー表示領域７４内に表示される各プリセットキーは、それぞれ後述するグループ選択キーテーブル４２、商品選択キーテーブル４３及びファンクションキーテーブル４４に格納される各レコードに１対１で対応している。また、テーブル４２〜４４に格納される各レコードは、領域７２〜７４内に各プリセットキーを表示する際に必要となる情報を含んでいる。これにより、制御プログラムは、テーブル４２〜４４を参照することにより、表示領域７２〜７４内に各プリセットキーを表示することが可能になっている。
【００４５】
（商品データテーブル）
図４に、商品データテーブル４１の構造を示す。商品データテーブル４１は、１つの商品の商品データを１つのレコードとして格納する表形式のデータベースである。
【００４６】
商品データテーブル４１は、商品ＩＤ、商品名、単価、ポイント、会員割引率及びグループＮｏフィールドを有する。
【００４７】
商品ＩＤフィールドには、商品を特定する商品ＩＤが格納される。商品名フィールドには、商品の商品名が格納される。単価フィールドには、商品の単価が円単位で格納される。ポイントフィールドには、商品のポイントが格納される。会員割引率フィールドには、会員割引率がパーセント単位で格納される。グループＮｏフィールドには、商品のグループを特定するグループＮｏが格納される。
【００４８】
（グループ選択キーテーブル）
図５に、グループ選択キーテーブル４２の構造を示す。グループ選択キーテーブル４２は、１つのグループ選択キーを定義するための情報を１つのレコードとして格納する表形式のデータベースである。
【００４９】
グループ選択キーテーブル４２は、グループＮｏ、グループ名、横ポジション番号、縦ポジション番号、背景色及び文字フィールドを有する。
【００５０】
グループＮｏフィールドには、グループ選択キーに対応するグループを特定するグループＮｏが格納される。グループ名フィールドには、グループ選択キーに対応するグループのグループ名が格納される。横ポジション番号、縦ポジション番号フィールドには、それぞれグループ選択キー表示領域７２内におけるグループ選択キーの横ポジション番号、縦ポジション番号が格納される。背景色フィールドには、グループ選択キーの背景色が格納される。文字フィールドには、グループ選択キーに付される文字が格納される。
【００５１】
（商品選択キーテーブル）
図６に、商品選択キーテーブル４３の構造を示す。商品選択キーテーブル４３は、１つの商品選択キーを定義するための情報を１つのレコードとして格納する表形式のデータベースである。
【００５２】
商品選択キーテーブル４３は、グループＮｏ、頁番号、横ポジション番号、縦ポジション番号、商品ＩＤ、背景色、ライン色、文字及び文字サイズフィールドを有する。
【００５３】
グループＮｏフィールドには、商品選択キーに対応する商品のグループを特定するグループＮｏが格納される。頁番号、横ポジション番号、縦ポジション番号フィールドには、それぞれ商品選択キー表示領域７３内における商品選択キーの頁番号、横ポジション番号、縦ポジション番号が格納される。商品ＩＤフィールドには、商品選択キーに対応する商品を特定する商品ＩＤが格納される。背景色フィールドには、商品選択キーの背景色が格納される。ライン色フィールドには、商品選択キーの下部に引かれるラインの色が格納される。文字フィールドには、商品選択キーに付される文字が格納される。文字サイズフィールドには、商品選択キーに付される文字のサイズが格納される。
【００５４】
（ファンクションキーテーブル）
図７に、ファンクションキーテーブル４４の構造を示す。ファンクションキーテーブル４４は、１つのファンクションキーを定義するための情報を１つのレコードとして格納する表形式のデータベースである。
【００５５】
ファンクションキーテーブル４４は、縦ポジション番号、機能コード、背景色及び文字フィールドを有する。
【００５６】
縦ポジション番号フィールドには、ファンクションキー表示領域７４内におけるファンクションキーの縦ポジション番号が格納される。機能コードフィールドには、レジ担当者によりファンクションキーが選択された場合に制御プログラムが実行すべき機能を実装するサブルーチンへのリンク情報が格納される。背景色フィールドには、ファンクションキーの背景色が格納される。文字フィールドには、ファンクションキーに付される文字が格納される。
【００５７】
＜電子キャッシュレジスタの動作＞
（レジ精算時の動作）
精算コーナーにおいて、買い物客が購入したい商品をレジ担当者に渡すと、レジ担当者は渡された商品を電子キャッシュレジスタ１に精算対象としてエントリする。
【００５８】
このとき、バーコードが付されている商品については、レジ担当者がそのバーコードをバーコードリーダ１３にかざすことにより、そのバーコードがバーコードリーダ１３に読み取られ、そのバーコードに対応する商品が電子キャッシュレジスタ１に精算対象としてエントリされる。一方、電子キャッシュレジスタ１に商品選択キーが登録されている商品については、レジ担当者が第１タッチスクリーン１１上に表示される図３のレジ精算用の画面を介してその商品を選択することにより、その商品が電子キャッシュレジスタ１に精算対象としてエントリされる。電子キャッシュレジスタ１上で実行される制御プログラムは、商品が精算対象としてエントリされると、ＨＤＤ４０に格納された商品データテーブル４１を参照することにより、精算対象としてエントリされた商品の単価の情報等を呼び出して、合計金額等を計算する。また、バーコードが付されておらず、さらに、電子キャッシュレジスタ１に商品選択キーが登録されていない商品については、レジ担当者は、その商品を電子キャッシュレジスタ１に精算対象としてエントリする作業に代えて、機械キー２６を介して電子キャッシュレジスタ１にその商品の単価を入力する。これにより、制御プログラムは、バーコードが付されておらず、さらに、電子キャッシュレジスタ１に商品選択キーが登録されていない商品についても、商品の単価を合計金額の計算に計上することができる。
【００５９】
以下、買い物客が「長野県産トマト」を含むいくつかの商品を購入する場合を例として、電子キャッシュレジスタ１の動作の詳細を説明する。なお、「長野県産トマト」の商品データは、商品データテーブルに格納されており（図４）、「長野県産トマト」に対応する商品選択キーは、電子キャッシュレジスタ１に登録されているものとする（図６）。また、簡単のために、以下の例において精算される商品については、商品に対応する商品選択キーが登録されているものとする。
【００６０】
まず、レジ担当者は、「長野県産トマト」のグループを判断する。商品のグループは、商品の種別に概ね１対１で対応しているため、商品の種別から類推することができる。レジ担当者は、「長野県産トマト」が「野菜」グループに属すると判断すると、第１カラーディスプレイ１１ｂ上の「野菜」キー選択する。このとき、「野菜」キーの背景色が野菜を表示する緑となっているため、レジ担当者は、容易に「野菜」キーの位置を認識することができる。
【００６１】
続いて、「野菜」キーが選択されたことに応答して、制御プログラムは、商品選択キーテーブル４３を参照して、第１カラーディスプレイ１１ｂ上の商品選択キー表示領域７３内に商品選択キーを表示する。具体的には、商品選択キーテーブル４３のグループＮｏフィールドに「野菜」グループを特定する「１」が格納され、かつ、頁番号フィールドに「１」が格納されたレコードに対応する商品選択キーが表示される。このとき、表示された商品選択キーの下部に引かれたラインの色が「野菜」キーの背景色と同じ緑になっていることにより、レジ担当者は、確かに「野菜」キーが選択されたことを瞬時に認識することができる。
【００６２】
「長野県産トマト」に対応するレコードの頁番号フィールドには「２」が格納されているため（図６）、この段階では、商品選択キー表示領域７３内には、「長野県産トマト」に対応する商品選択キーは表示されない。そこで、レジ担当者は、ファンクションキー表示領域７４内に表示される「次へ」キーを選択する。これに応答して、制御プログラムは、ファンクションキーテーブル４４の機能コードフィールドに格納されたリンク情報に基づいてサブルーチンを呼び出し、商品選択キー表示領域７３内に表示される商品選択キーを更新する。具体的には、商品選択キーテーブル４３のグループＮｏフィールドに「野菜」グループを特定する「１」が格納され、かつ、頁番号フィールドに「２」が格納されたレコードに対応する商品選択キーが表示される。
【００６３】
このとき、「長野県産トマト」に対応するレコードの横ポジション番号及び縦ポジション番号フィールドにはそれぞれ「１」及び「２」が格納されているため、商品選択キー表示領域７３内において左から１番目、上から２番目の位置に「長野県産トマト」キーが表示される。ここで、レジ担当者が、商品選択キー表示領域７３内の「長野県産トマト」キーを選択すると、「長野県産トマト」が精算対象としてエントリされる。
【００６４】
続いて、制御プログラムは、商品選択キーテーブル４３を参照して、「長野県産トマト」に対応するレコードの商品ＩＤフィールドに格納された商品ＩＤ「ＶＥ００３８」を読み出す。次に、制御プログラムは、商品データテーブル４１を参照して、商品ＩＤフィールドに「ＶＥ００３８」が格納されたレコードの単価フィールドに格納された単価「１９８（円）」を読み出し、「長野県産トマト」の単価を「１９８（円）」とする。
【００６５】
同様にして、制御プログラムは、精算対象としてエントリされた全商品について単価を決定し、それらの単価を合計することにより、精算対象となる全商品の合計金額を計算する。合計金額が計算終了後、制御プログラムは、その合計金額を出力装置１１ｂ，１２，１４，２１ｂ，２２，２３を介してレジ担当者又は買い物客に対して表示する。
【００６６】
（商品選択キーの新規登録時の動作）
第１カラーディスプレイ１１ｂ及び第２カラーディスプレイ２１ｂ上の画面左上には、常にメニューキーが表示される。ユーザがこのメニューキーから「商品選択キーの新規登録」を選択することにより、商品選択キーの新規登録が可能になる。
【００６７】
「商品選択キーの新規登録」が選択されると、制御プログラムは、図８に示される商品選択キーの新規登録用の画面８０を第１カラーディスプレイ１１ｂ及び第２カラーディスプレイ２１ｂ上に表示させる。画面８０内には、新規登録する商品選択キー（以下、新規商品選択キー）に対応する商品の商品名、単価、ポイント及び会員割引率、グループ、並びに、商品選択キーに付される文字及びそのサイズ、商品選択キーの下部に引かれるラインの色、商品選択キーの背景色についての設定欄が表示される。
【００６８】
商品の商品名、単価、ポイント及び会員割引率については、「商品データベースを参照する」キーを選択することにより、商品データテーブル４１を参照して選択することができるようになっている。
【００６９】
商品のグループについては、デフォルト値として、「商品データベースを参照する」キーを選択することにより商品が選択された際にその選択された商品のグループが設定されるが、そのデフォルト値を上書きして「野菜」「精肉」「鮮魚」「果物」「惣菜」「その他」の６つから自由に選択できるようになっている。
【００７０】
文字については、デフォルト値として、商品の商品名が選択された際にその商品名が設定されるが、そのデフォルト値を上書きして自由に設定できるようになっている。文字のサイズについては、デフォルト値として「１０」が設定されるが、そのデフォルト値を上書きして自由に選択できるようになっている。背景色については、デフォルト値として「白」が設定されるが、そのデフォルト値を上書きして所定の色の中から自由に選択できるようになっている。ラインの色については、デフォルト値として、商品のグループが選択された際にその選択されたグループに対応する色が設定されるが、そのデフォルト値を上書きして所定の色の中から自由に選択できるようになっている。ここで、グループに対応する色とは、グループ選択キーテーブル４２に格納されたそのグループに対応するレコードの背景色フィールドに格納された背景色を意味する。
【００７１】
ユーザが上記設定項目の設定を終了して、画面８０の右下に表示される「ＯＫ」キーを選択すると、制御プログラムは、ユーザにより設定された上記設定項目についての設定内容に基づいて、商品選択キーテーブル４３にレコードを１つ追加する。このレコードは、新規商品選択キーに対応する。
【００７２】
次に、制御プログラムは、商品選択キー表示領域７３内における新規商品選択キーの表示位置を決定する。このとき、新規商品選択キーと同じグループに属する他の商品選択キーの表示位置も更新対象となる。具体的には、制御プログラムは、商品選択キーテーブル４３に格納される全てのレコードのうち、追加されたレコードとグループＮｏフィールドに格納されるグループＮｏが等しいレコードを全て選別する。次に、制御プログラムは、ライン色フィールドの値を第１に、文字フィールドの値を第２に優先して、この選別された全てのレコードを五十音順にソートする。続いて、制御プログラムは、商品選択キー表示領域７３内において商品選択キーがソート順に表示されるように、ソートされたレコードの頁番号、横ポジション番号及び縦ポジション番号フィールドに適切な値を格納する。なお、「その他」以外のグループについては、そのグループに属するレコードのライン色フィールドの値が全て同じであるため、実質的に文字フィールドの値のみを優先してソートされることになる。
【００７３】
これ以降、レジ精算用の画面７０を表示すると、商品選択キー表示領域７３内に新規商品選択キーが表示される。
【００７４】
（商品選択キーの削除時の動作）
ユーザが、第１カラーディスプレイ１１ｂ及び第２カラーディスプレイ２１ｂ上の画面左上に表示されるメニューキーから「商品選択キーの削除」を選択することにより、商品選択キーの削除が可能になる。
【００７５】
「商品選択キーの削除」が選択されると、制御プログラムは、図９に示される商品選択キーの削除用の画面９０を第１カラーディスプレイ１１ｂ及び第２カラーディスプレイ２１ｂ上に表示させる。ユーザは、画面９０内に表示される文字により、削除する商品選択キーを選択することを促される。画面９０内の領域１００内には、レジ精算時用の画面７０と同様の画面が埋め込まれるように表示されており、ユーザが削除する商品選択キーを視覚的に選択できるようになっている。
【００７６】
ユーザが削除する商品選択キーを選択すると、制御プログラムは、確認画面を表示してユーザの意思を確認する。ユーザが確認画面を介して再度削除することを選択すると、制御プログラムは、商品選択キーテーブル４３にアクセスして、削除する商品選択キーに対応するレコードを削除する。
【００７７】
次に、制御プログラムは、削除された商品選択キーと同じグループに属する他の商品選択キーの商品選択キー表示領域７３内における表示位置を更新する。制御プログラムによる具体的な処理は、商品選択キーの新規登録時において新規商品選択キーの表示位置を決定する処理と同様であるため、説明を省略する。
【００７８】
（商品選択キーの変更時の動作）
ユーザが、第１カラーディスプレイ１１ｂ及び第２カラーディスプレイ２１ｂ上の画面左上に表示されるメニューキーから「商品選択キーの変更」を選択することにより、商品選択キーの変更が可能になる。
【００７９】
「商品選択キーの変更」が選択されると、制御プログラムは、所定の画面を第１カラーディスプレイ１１ｂ及び第２カラーディスプレイ２１ｂ上に表示させる。この画面は、画面内に表示される文字を除き、画面９０と同様である。ユーザは、この画面内に表示される文字により、変更する商品選択キーを選択することを促される。
【００８０】
ユーザにより変更する商品選択キーが選択されると、制御プログラムは、第１カラーディスプレイ１１ｂ及び第２カラーディスプレイ２１ｂ上に所定の画面を表示させる。ユーザは、この画面を介して、変更する商品選択キーの設定項目のうち変更すべき項目について更新する。この画面は、各設定欄のデフォルト値が変更前の値になる点を除き、画面８０と同様である。
【００８１】
これ以降、商品選択キーの変更が完了するまでの処理は、商品選択キーの新規登録時の処理と同様であるため、説明を省略する。
【００８２】
＜特徴＞
（１）
上記実施形態では、商品選択キーの中央に文字が付され、商品選択キーの下部にラインが引かれており、ラインにはその商品選択キーに対応する商品の種別を表示する色が付されている。このため、レジ担当者は、ラインの色からその商品選択キーに対応する商品の種別を瞬時に判断することができるとともに、このラインと文字とが重なっていないため、商品選択キーの文字を容易に読むことができる。これにより、レジ担当者によるプリセットキー選択の誤操作が低減される。
【００８３】
（２）
上記実施形態では、商品選択キーの下部にラインが引かれている。これにより、レジ担当者が、上下方向に隣接する商品選択キーの境界を判別し易くなっている。このことは、上記実施形態のように上下方向に複数のプリセットキーが配置されるディスプレイにあっては、特に有用となる。
【００８４】
（３）
上記実施形態では、電子キャッシュレジスタ１に商品選択キーを新規登録する際、ユーザは、電子キャッシュレジスタ１から商品選択キーの表示位置に関する情報の入力を求められない。制御プログラムは、ユーザによるその他の情報の入力後、自動的に商品選択キーの表示位置を決定している。これにより、ユーザは、商品選択キーを新規登録する際に、商品選択キー表示領域７３内における表示位置を考慮しながら作業を行う必要がなく、新規登録の操作が簡便になる。
【００８５】
＜変形例＞
（１）
電子キャッシュレジスタ１は、ＰＯＳシステムであってもよい。また、上記実施形態では、本発明に係る商品データ呼び出し装置が電子キャッシュレジスタとして実現されているが、ハカリや計量値付け装置等、商品データを呼び出すことができる任意の商品データ呼び出し装置として実現され得る。
【００８６】
（２）
上記実施形態では、商品選択キーについてのみその下部にラインが引かれるように設計されているが、グループ選択キーやファンクションキーの下部にもラインが引かれるように設計されてもよい。
【００８７】
（３）
上記実施形態では、商品選択キーの下部にラインが引かれ、そのラインの色によりその商品選択キーに対応する商品の種別が表示されるが、本発明に係る商品選択キーの商品の種別を表示する領域の形状は、このライン形状に限定されない。上記実施形態におけるラインに代えて、文字の横に描かれる円形の領域（図１０（ａ））、商品選択キーの外枠線に平行するように描かれる領域（図１０（ｂ），１０（ｃ））、文字を囲むように描かれる領域（図１０（ｄ））、Ｌ字型（図１０（ｅ））の領域、又は、逆Ｌ字型（図１０（ｆ））の領域が設けられてもよい。特に、商品の種別を表示する領域の形状がＬ字型（図１０（ｅ））、逆Ｌ字型（図１０（ｆ））となる場合には、商品選択キーが上下左右に並ぶようにディスプレイ上に表示される場合にも、隣接する商品選択キーの境界を判別し易くなっている。
【００８８】
（４）
上記実施形態では、商品選択キーの背景色、文字色がそれぞれ白、黒となっているが、背景色に薄い色かつ文字色に濃い色を設定する等、背景色及び文字色として、文字の視認性を高めることができる任意の色の組み合わせが設定され得る。
【００８９】
（５）
上記実施形態では、商品選択キーを新規登録する際に、その商品選択キーに対応する商品のグループ名及びその商品選択キーの下部に引かれるラインの色は、操作者が所定のデフォルト値を上書きして自由に選択できるように設計されているが、上述のデフォルト値で固定され操作者が自由に選択できないように設計されていてもよい。
【産業上の利用可能性】
【００９０】
本発明は、操作者がプリセットキーを選択する際の誤操作を低減することができるという効果を有し、商品データ呼び出し装置として有用である。
【符号の説明】
【００９１】
１１ｂ  第１カラーディスプレイ
２１ｂ  第２カラーディスプレイ
７０  レジ精算時の画面
７１  計算結果表示領域
７２  グループ選択キー表示領域
７３  商品選択キー表示領域
７４  ファンクションキー表示領域
【先行技術文献】
【特許文献】
【００９２】
【特許文献１】特開２０００−３０４６０１号公報
【図１】
0005536171.tif 000002
【図２】
0005536171.tif 000003
【図３】
0005536171.tif 000004
【図４】
0005536171.tif 000005
【図５】
0005536171.tif 000006
【図６】
0005536171.tif 000007
【図７】
0005536171.tif 000008
【図８】
0005536171.tif 000009
【図９】
0005536171.tif 000010
【図１０】
0005536171.tif 000011